(57)【要約】      （修正有）【課題】眼球を圧迫することなく、効率よく目の周りに帯電した静電気を放電し、血行を促進することができる生体内帯電除去具を提供する。【解決手段】外周部に複数の突起を有するドーナツ形に形成された導電性シート材１の一方の面に導電性の粘着剤が塗布された粘着層１３を有する生体内帯電除去具である。粘着層でリング状の導電性シート材を目の周囲に貼り付けることにより、目の周囲に滞った電気を放出する。導電性シート材の外周に突起１０を設けることで、放電効果が向上する。【選択図】図２
0003175155.tif 000002
【実用新案登録請求の範囲】
【請求項１】
外周部に複数の突起を有するドーナツ形に形成された導電性シート材の一方の面に導電性の粘着剤が塗布された粘着層を有することを特徴とする生体内帯電除去具
【請求項２】
前記粘着層の上に台紙を貼付した請求項１に記載の生体内帯電除去具。
【請求項３】
前記シート材に複数の貫通孔を設け、前記シート材の前記粘着層のある面の反対側の面に、保湿性素材を、該貫通孔を覆って貼付した請求項１又は２に記載の生体内帯電除去具。
【請求項４】
２個の目穴を並列して開孔したフレーム部と、該フレーム部を人間の頭部に保持する保持部と、前記フレーム部背面の目穴の周囲に、外周部に複数の突起を有するドーナツ形に形成された導電性シート材を接着したことを特徴とする生体内帯電除去具。
【請求項５】
前記フレーム部が布、不織布又は紙で形成され、前記保持部が布、不織布、紙又はひもで形成された耳掛けである請求項５に記載の生体内帯電除去具。
【請求項６】
前記シート材に複数の貫通孔が形成されている請求項１，２，４又は５のいずれかに記載の生体内帯電除去具。
【請求項７】
前記導電性シート材がアルミ箔である請求項１〜６のいずれかに記載の生体内帯電除去具。
【考案の詳細な説明】
【技術分野】
【０００１】
本考案は、目の周囲に帯電した電気を除去することで、目の周囲の血流をよくし、疲れ目やドライアイ症状等を改善する生体内帯電除去具に関する。
【背景技術】
【０００２】
従来、疲れ目やドライアイ症状等の改善には、目全体をタオルで温めたり冷やしたりすることが行われている。また、下記特許文献１には、蒸気温熱機能を有するアイマスクが開示されている。これは、包装からアイマスクを取り出すことで、アイマスクが蒸気温熱状態となり、これを使用することで目の周囲の血流を促進させるものである。
【０００３】
また、下記特許文献２には、眼鏡のテンプル又は鼻当てパットに放電部を設け、体内の静電気を中和して帯電を減衰させ、冬期等の乾燥した時期に静電気の放電により不快音が発生したり、静電気で感電衝撃を受けることを防止しようとしている。
【先行技術文献】
【特許文献】
【０００４】
【特許文献１】特開２００８−２９５７７９
【特許文献２】実用新案登録第３０２１００７号公報
【考案の概要】
【考案が解決しようとする課題】
【０００５】
前記の、目全体をタオルで温めたり冷やしたりすること、及び蒸気温熱作用を有するアイマスクを使用することによる血流の改善効果は一時的なものであり、本質的改善にならないばかりか、蒸気温熱の場合は低温ヤケドを起こすおそれがある。また、視界を遮り、行動が制限されるという不都合がある。また、眼球を直接圧迫し、使用後は目のぼやけやかすみ現象が生じる可能性がある。
【０００６】
前記の、テンプル又は鼻当てパットに放電部を設けた眼鏡は、放電効果が殆ど無く、実用的ではない。
【０００７】
本考案は、眼球を圧迫せず、眼球に直接影響を与えない、さらに使用中であっても視界が確保でき、行動が制限されることなく、効率よく目の周りに帯電した静電気を放電し、血行を促進して疲れ目やドライアイ症状を改善できる生体内帯電除去具を得ることを課題とするものである。
【課題を解決するための手段】
【０００８】
人間の体の中には、既に知られているように、微弱な生体電流が流れており、これにより心臓の筋肉収縮、弛緩運動が起き、体内各部位に血液を送り、生命を維持している。心臓を動かしているのは生体電流であり、これが重要な役割を担っている。
人体内の細胞一つ一つにマイナスイオンとプラスイオンがあり、正常な状態ではバランスが保たれているが、諸要因が加わり、プラスイオンとマイナスイオンのバランスが崩れると、体の中に流れる生体電流が乱れ、身体の各部に異常な電位差が生じ、帯電する部分も発生し、血流も乱れる。
目の使い過ぎにより、目の周辺に帯電が起こり、血の流れが悪くなると、目の疲労感やドライアイ症状が現れる。そこで、目の周囲に滞った電気を放電により取り去ることで、血の流れがよくなり、目の疲労感やドライアイ症状を解消することができる。
【０００９】
〔請求項１〕
本考案は、外周部に複数の突起を有するドーナツ形に形成された導電性シート材の一方の面に導電性の粘着剤が塗布された粘着層を有することを特徴とする生体内帯電除去具である。
【００１０】
導電性シート材は、形状によって空気中に電気を放出する性質を持っている。本考案では、これを放電の媒体として利用する。粘着層でリング状の導電性シート材を目の周囲に貼り付けることにより、目の周囲に滞った電気を放出し、目の周囲の生体電流をスムーズに流し、血流を良くし、目の疲れやドライアイを解消できる。また、目への圧迫が無く、使用中でも視界が確保され、安全に行動できる利点がある。
【００１１】
導電性シート材の外周に突起を設けることで、放電効果が向上する。突起が電極となり、その周りに不均一な電界が生じることで持続的に放電が起こる。電流は小さく、数ＮＡ程度である。
導電性シート材の内周の穴は、眼球が覆い被らない程度の大きさであればよい。導電性シート材の外周及び内周の基本形状は真円に限らず、楕円や、その他デザインを施した形状でも良い。
【００１２】
導電性の粘着材は、例えば、導電性フィラーをバインダーに混練したものを使用できる。導電性フィラーとしては、銀粉・ニッケル粉・金メッキ粉・パラジウム粉・カーボン粉等を使用できる。バインダーとしては、エポキシ系バインダーなど、各種樹脂系のバインダーを使用できる。
【００１３】
〔請求項２〕
また本考案は、前記粘着層の上に台紙を貼付した請求項１に記載の生体内帯電除去具である。
【００１４】
台紙は、油紙、蝋引き紙など、接着剤が付きにくい紙である。導電性シート材を台紙から剥がすことで、本考案の生体内帯電除去具を容易に使用できる。
【００１５】
〔請求項３〕
また本考案は、前記シート材に複数の貫通孔を設け、前記シート材の前記粘着層のある面の反対側の面に、保湿性素材を、該貫通孔を覆って貼付した請求項１又は２に記載の生体内帯電除去具である。
【００１６】
保湿性素材は、各種の織り布、不織布、スポンジなど、水分を吸収・蓄えることができる素材である。保湿性素材に化粧水などをしみ込ませることで、導電性シート材を冷却し、目の周囲を冷やすことができる。また、化粧水などは貫通孔を通って肌にしみ込み、使用者に爽快感を与えることができる。
【００１７】
〔請求項４〕
また本考案は、２個の目穴を並列して開孔したフレーム部と、該フレーム部を人間の頭部に保持する保持部と、前記フレーム部背面の目穴の周囲に、外周部に複数の突起を有するドーナツ形に形成された導電性シート材を接着したことを特徴とする生体内帯電除去具である。
【００１８】
このようにすることで、生体内帯電除去具をアイマスク状、又は眼鏡状とすることができ、これを目に掛けることで、導電性シートを皮膚に接着することなく、皮膚に接触させることができる。
【００１９】
〔請求項５〕
また本考案は、前記フレーム部が布、不織布又は紙で形成され、前記保持部が布、不織布、紙又はひもで形成された耳掛けである請求項５に記載の生体内帯電除去具である。
【００２０】
フレーム部及び保持部は布、不織布、紙などの安価な材料を用いることができる。また、保持部を耳掛けにして、全体をアイマスク状に形成することができる。この生体内帯電除去具は、使い捨て用、繰り返し使用可能なものの双方が可能である。
【００２１】
〔請求項６〕
また本考案は、前記シート材に複数の貫通孔が形成されている請求項１，２，４又は５のいずれかに記載の生体内帯電除去具である。
【００２２】
導電性シート材は一般に保温作用にすぐれる。これに複数の貫通孔を形成することで、導電性シート材に接触する皮膚が温度上昇で赤くなるのを防ぐことができる。また、貫通孔によって放電効果も増大する。
【００２３】
〔請求項７〕
また本考案は、前記導電性シート材がアルミ箔である請求項１〜６のいずれかに記載の生体内帯電除去具である。
【００２４】
導電性シート材としては、各種金属箔、金属薄板などを使用できるが、アルミ箔が最も適している。アルミ箔は人体に無害である。
【考案の効果】
【００２５】
本考案は、ドーナツ形の導電性シート材を顔面の目の周囲に接触させることで、目の周囲に帯電した電気が自然放電され、生体電流が正常に戻り、血流もスムーズに流れるようになり、目の疲れやドライアイ症状を解消できる。また、薬治療でないために、自身の治癒力を高める効果もある。導電性シート材としてアルミ箔などを用いれば、これを身体に接着しても害にならない。
【図面の簡単な説明】
【００２６】
【図１】実施例の生体内帯電除去具の正面図である。
【図２】導電性シート材の背面図である。
【図３】図１におけるＡ−Ａ線断面図である。
【図４】他の実施例の生体内帯電除去具の正面図である。
【図５】保湿性素材の背面図である。
【図６】図５におけるＢ−Ｂ線断面図である。
【図７】他の実施例の生体内帯電除去具４の背面図である。
【図８】生体内帯電除去具４の正面図である。
【図９】生体内帯電除去具４の上面図である。
【図１０】他の実施例の生体内帯電除去具５の斜視図である。
【図１１】生体内帯電除去具５の上面図である。
【考案を実施するための形態】
【００２７】
図１，３の生体内帯電除去具は、導電性シート材１及び台紙３からなる。
図２に示すように、導電性シート材１はアルミ箔をドーナツ形に刳りぬいたもので、外周に沿って多数の突起１０が形成されている。一方の面（背面）には導電性の粘着剤が塗布された粘着剤層１３が形成されている。導電性シート材１は、粘着剤層１３によって台紙３に接着され、使用の際は台紙から剥がして目の周りに貼り付ける。これにより、目の周囲に帯電した電気が自然放電され、生体電流が正常に戻り、血流もスムーズに流れるようになり、目の疲れやドライアイ症状を解消できる。
【００２８】
導電性シート材１には多数の貫通孔１１が形成されている。これにより、導電性シート材に接触する皮膚が温度上昇で赤くなるのを防止すると共に、放電効果が増大する。また、最下部には台紙から剥がしやすくするための摘み部１２が突出形成さている。
【００２９】
台紙３は長方形で、図１に示すように、導電性シート材１が２個貼付されている。
【００３０】
図４，６の生体内帯電除去具は、導電性シート材１、保湿性素材２及び台紙３からなる。
この場合の導電性シート材１は、前記図２のものと全く同じである。
【００３１】
図５に示すように、保湿性素材２はドーナツ形をなし、一方の面に接着剤を塗布した接着剤層２０が形成されている。保湿性素材２は、接着剤層２０によって導電性シート材１の表面側に貼付される。
保湿性素材２は、少なくとも貫通孔１１を覆うものであればよいが、本実施例のように、導電性シート材１のほぼ全体を覆うドーナツ形であることが望ましい。
【００３２】
台紙３は長方形で、図４に示すように、導電性シート１と保湿性素材２を貼り合わせたものが２個貼付されている。
【００３３】
図４，６の生体内帯電除去具を使用する場合は、保湿性素材２に化粧水をしみ込ませる。摘み部１２を指で摘んで、保湿性素材２が貼付された導電性シート材１を台紙３から剥がし、粘着剤層１３によって目の周りに貼り付ければよい。
【００３４】
図７〜９の生体内帯電除去具４は、２個の目穴４１を並列して開孔したフレーム部４０と、フレーム部４０の左右両端に連結された保持部４２である耳掛けを有するアイマスク状のものである。フレーム部４０は、適度の柔軟性と強度を持った布、不織布、紙、プラスチックなどで作成できる。目穴４１は視界を確保できる大きさであればよい。保持部４２はフレーム部と同じ材料で作成しても良いし、他の材料（例えばゴム紐など）で作成することもできる。
【００３５】
フレーム４０の背面には、目穴４１の周囲に、ドーナツ形に形成された導電性シート材１が接着されている。導電性シート材１はアルミ箔で、外周部に多数の突起を有すること、多数の貫通孔を有することは、前記図２の導電性シート材と同様である。
【００３６】
使用に際しては、アイマスクを顔に掛けるように、生体内帯電除去具４を顔に掛ける。すると、導電性シート材１が目の周りに接触し、目の周囲に帯電した電気が自然放電され、生体電流が正常に戻り、血流もスムーズに流れるようになり、目の疲れやドライアイ症状を解消できる。
【００３７】
図１０，１１の生体内帯電除去具５は、眼鏡フレーム状に形成した例である。
この生体内帯電除去具５は、２個の目穴を並列して開孔したフレーム部５０と、その両端に蝶着された保持部５１からなる。フレーム部５０はプラスチック製で、２つのリング状部分を連結した形状を有する。保持部５１は、本実施例の場合いわゆるテンプルであるが、ゴムバンドなど、要はフレームを人間の頭部に保持できるものであればよい。
【００３８】
フレーム部５０は、その背面側にドーナツ形のクッション材５２を有する。クッション材は、スポンジ、発泡プラスチックなど、弾性変形しやすいものであれば良く、プラスチックのリング状部分に接着されている。さらに、このクッション材５２の背面には導電性シート材１が接着されている。
導電性シート材１は、前記の図２のもの同様に、多数の突起及び貫通孔（図示せず）を有する。
【００３９】
使用に際しては、眼鏡を顔に掛けるように生体内帯電除去具５を顔に掛ける。すると、導電性シート材１が目の周りに接触し、目の周囲に帯電した電気が自然放電され、生体電流が正常に戻り、血流もスムーズに流れるようになり、目の疲れやドライアイ症状を解消できる。
【符号の説明】
【００４０】
１  導電性シート材
１０  突起
１１  貫通孔
１２  摘み部
１３  粘着剤層
２  保湿性素材
２０  接着剤層
３  台紙
４  生体内帯電除去具
４０  フレーム部
４１  目穴
４２  保持部
５  生体内帯電除去具
５０  フレーム部
５１  保持手段
５２クッション材
【図１】
0003175155.tif 000003
【図２】
0003175155.tif 000004
【図３】
0003175155.tif 000005
【図４】
0003175155.tif 000006
【図５】
0003175155.tif 000007
【図６】
0003175155.tif 000008
【図７】
0003175155.tif 000009
【図８】
0003175155.tif 000010
【図９】
0003175155.tif 000011
【図１０】
0003175155.tif 000012
【図１１】
0003175155.tif 000013
【手続補正書】
【提出日】平成24年2月17日(2012.2.17)
【手続補正１】
【補正対象書類名】実用新案登録請求の範囲
【補正対象項目名】全文
【補正方法】変更
【補正の内容】
【実用新案登録請求の範囲】
【請求項１】
２個の目穴を並列して開孔したフレーム部と、該フレーム部を人間の頭部に保持する保持部と、前記フレーム部背面の目穴の周囲に、外周部に複数の突起を有するドーナツ形に形成された導電性シート材を接着したことを特徴とする生体内帯電除去具。
【請求項２】
前記フレーム部が布、不織布又は紙で形成され、前記保持部が布、不織布、紙又はひもで形成された耳掛けである請求項１に記載の生体内帯電除去具。
【請求項３】
前記シート材に複数の貫通孔が形成されている請求項１又は２に記載の生体内帯電除去具。
【請求項４】
前記導電性シート材がアルミ箔である請求項１〜３のいずれかに記載の生体内帯電除去具。
【手続補正２】
【補正対象書類名】明細書
【補正対象項目名】０００９
【補正方法】変更
【補正の内容】
【０００９】
〔請求項１〕
本考案は、２個の目穴を並列して開孔したフレーム部と、該フレーム部を人間の頭部に保持する保持部と、前記フレーム部背面の目穴の周囲に、外周部に複数の突起を有するドーナツ形に形成された導電性シート材を接着したことを特徴とする生体内帯電除去具である。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
本考案は、生体内帯電除去具をアイマスク状、又は眼鏡状とすることができ、これを目に掛けることで、導電性シートを皮膚に接着することなく、皮膚に接触させることができる。
【手続補正９】
【補正対象書類名】明細書
【補正対象項目名】００１９
【補正方法】変更
【補正の内容】
【００１９】
〔請求項２〕
また本考案は、前記フレーム部が布、不織布又は紙で形成され、前記保持部が布、不織布、紙又はひもで形成された耳掛けである請求項１に記載の生体内帯電除去具である。
【手続補正１０】
【補正対象書類名】明細書
【補正対象項目名】００２１
【補正方法】変更
【補正の内容】
【００２１】
〔請求項３〕
また本考案は、前記シート材に複数の貫通孔が形成されている請求項１又は２に記載の生体内帯電除去具である。
【手続補正１１】
【補正対象書類名】明細書
【補正対象項目名】００２３
【補正方法】変更
【補正の内容】
【００２３】
〔請求項４〕
また本考案は、前記導電性シート材がアルミ箔である請求項１〜３のいずれかに記載の生体内帯電除去具である。
【手続補正１２】
【補正対象書類名】明細書
【補正対象項目名】００２６
【補正方法】変更
【補正の内容】
【００２６】
【図１】参考例の生体内帯電除去具の正面図である。
【図２】導電性シート材の背面図である。
【図３】図１におけるＡ−Ａ線断面図である。
【図４】他の参考例の生体内帯電除去具の正面図である。
【図５】保湿性素材の背面図である。
【図６】図５におけるＢ−Ｂ線断面図である。
【図７】実施例の生体内帯電除去具４の背面図である。
【図８】生体内帯電除去具４の正面図である。
【図９】生体内帯電除去具４の上面図である。
【図１０】他の実施例の生体内帯電除去具５の斜視図である。
【図１１】生体内帯電除去具５の上面図である。